(57)【要約】【課題】デジタルサイネージの運用にあたり、通信コストの低減を実現すること。【解決手段】  デジタルサイネージ２０と、このデジタルサイネージに情報を送信する情報送信手段１０とを備えたシステムにおいて、デジタルサイネージ２０が地上デジタル放送波を受信する手段を備えると共に、情報送信手段１０がデジタルサイネージ向けの情報を地上デジタル放送波にのせて送信する。【選択図】  図１
2010021900.tif 000002
【特許請求の範囲】
【請求項１】
デジタルサイネージと、このデジタルサイネージに情報を送信する情報送信手段とを備えたシステムにおいて、
前記デジタルサイネージが地上デジタル放送波を受信する手段を備えると共に、前記情報送信手段が前記情報を地上デジタル放送波にのせて放送することを特徴としたデジタルサイネージシステム。
【請求項２】
前記情報送信手段は、前記情報のうち前記デジタルサイネージから出力させるコンテンツ情報をマルチ編成放送時のSDTVで放送すると共に、前記情報のうち前記デジタルサイネージを制御する制御情報をデータ放送の帯域で放送することを特徴とした請求項１記載のデジタルサイネージシステム。
【請求項３】
前記情報送信手段は、前記情報のうち前記デジタルサイネージから出力させるコンテンツ情報と、前記情報のうち前記デジタルサイネージを制御する制御情報との両方をデータ放送の帯域で放送することを特徴とした請求項１記載のデジタルサイネージシステム。
【請求項４】
前記デジタルサイネージが、前記コンテンツ情報を保持する記憶手段を備えたことを特徴とする請求項２又は３記載のデジタルサイネージシステム。
【請求項５】
前記デジタルサイネージがＢＭＬブラウザを備え、前記コンテンツ情報はＢＭＬのモノメディアとして構成することを特徴とした請求項３記載のデジタルサイネージシステム。
【請求項６】
請求項２記載のシステムにおいて、
前記デジタルサイネージは、前記コンテンツ情報を記憶するコンテンツ情報記憶手段と、自装置が受信すべきコンテンツ情報の放送スケジュールを記憶する制御情報記憶手段とを備え、この放送スケジュールに従って前記情報送信手段が送信するコンテンツ情報を選択して前記コンテンツ情報記憶手段に格納することを特徴としたデジタルサイネージシステム。
【請求項７】
請求項６記載のシステムにおいて、
前記放送スケジュールは前記情報送信手段が前記制御情報に含めて送信し、前記デジタルサイネージは、この制御情報に含まれた放送スケジュールを前記制御情報記憶手段に記憶することを特徴としたデジタルサイネージシステム。
【請求項８】
請求項２記載のシステムにおいて、
前記デジタルサイネージは、前記コンテンツ情報を記憶するコンテンツ情報記憶手段と、自装置が再生すべきコンテンツ情報の再生スケジュールを記憶する制御情報記憶手段を備え、この再生スケジュールに従って前記コンテンツ情報記憶手段に格納されたコンテンツ情報を選択して再生することを特徴としたデジタルサイネージシステム。
【請求項９】
請求項８記載のシステムにおいて、
前記再生スケジュールは前記情報送信手段が前記制御情報に含めて送信し、前記デジタルサイネージは、この制御情報に含まれた再生スケジュールを前記制御情報記憶手段に記憶することを特徴としたデジタルサイネージシステム。
【請求項１０】
請求項２又は３記載のシステムにおいて、
前記デジタルサイネージは、非接触ＩＣカードリーダを備え、
前記情報送信手段は、コンテンツ情報に関連する関連情報を当該コンテンツ情報に関連付けて前記制御情報に含めて送信し、
前記デジタルサイネージは、当該関連情報をコンテンツ情報に関連付けて制御情報記憶手段に格納し、前記非接触ＩＣカードリーダからアクセスがあると、そのとき再生しているコンテンツ情報に関連付けられた関連情報を当該非接触ＩＣカードリーダからアクセスした装置に提供することを特徴としたデジタルサイネージシステム。
【請求項１１】
情報送信手段がデジタルサイネージに情報を送信する方法であって、
前記情報送信手段は前記情報を地上デジタル放送波にのせて放送し、前記デジタルサイネージは前記情報送信手段が送信した地上デジタル放送波によって前記情報を取得することを特徴としたデジタルサイネージ運用方法。
【請求項１２】
前記情報送信手段は、前記情報のうち前記デジタルサイネージから出力させるコンテンツ情報をマルチ編成放送時のSDTVで放送すると共に、前記情報のうち前記デジタルサイネージを制御する制御情報をデータ放送の帯域で放送することを特徴とした請求項１１記載のデジタルサイネージ運用方法。
【請求項１３】
前記情報送信手段は、前記情報のうち前記デジタルサイネージから出力させるコンテンツ情報と、前記情報のうち前記デジタルサイネージを制御する制御情報との両方をデータ放送の帯域で放送することを特徴とした請求項１１記載のデジタルサイネージ運用方法。
【請求項１４】
前記コンテンツ情報はＢＭＬのモノメディアとして構成することを特徴とした請求項１３記載のデジタルサイネージ運用方法。
【請求項１５】
請求項１２記載の方法において、
前記デジタルサイネージは、自装置が受信すべきコンテンツ情報の放送スケジュールを制御情報記憶手段に記憶し、この放送スケジュールに従って前記情報送信手段が送信するコンテンツ情報を選択してコンテンツ情報記憶手段に格納することを特徴としたデジタルサイネージ運用方法。
【請求項１６】
請求項１５記載の方法において、
前記放送スケジュールは前記情報送信手段が前記制御情報に含めて送信し、前記デジタルサイネージは、この制御情報に含まれた放送スケジュールを前記制御情報記憶手段に記憶することを特徴としたデジタルサイネージ運用方法。
【請求項１７】
請求項１２記載のシステムにおいて、
前記デジタルサイネージは、自装置が再生すべきコンテンツ情報の再生スケジュールを制御情報記憶手段に記憶し、この再生スケジュールに従ってコンテンツ情報記憶手段に格納されたコンテンツ情報を選択して再生することを特徴としたデジタルサイネージ運用方法。
【請求項１８】
請求項１７記載のシステムにおいて、
前記再生スケジュールは前記情報送信手段が前記制御情報に含めて送信し、前記デジタルサイネージは、この制御情報に含まれた再生スケジュールを前記制御情報記憶手段に記憶することを特徴としたデジタルサイネージ運用方法。
【請求項１９】
請求項１２又は１３記載のシステムにおいて、
前記情報送信手段は、コンテンツ情報に関連する関連情報を当該コンテンツ情報に関連付けて前記制御情報に含めて送信し、
前記デジタルサイネージは、当該関連情報をコンテンツ情報に関連付けて制御情報記憶手段に格納し、非接触ＩＣカードリーダからアクセスがあると、そのとき再生しているコンテンツ情報に関連付けられた関連情報を当該非接触ＩＣカードリーダからアクセスした装置に提供することを特徴としたデジタルサイネージ運用方法。
【請求項２０】
デジタルサイネージに情報を送信するシステムであって、
前記デジタルサイネージ向けの情報をのせた地上デジタル放送波を生成する放送波生成手段を備えたことを特徴とするデジタルサイネージ向け放送システム。
【請求項２１】
請求項２０記載の放送システムにおいて、
前記情報のうち前記デジタルサイネージから出力させるコンテンツ情報を記憶したコンテンツ情報記憶手段と、前記情報のうち前記デジタルサイネージを制御する制御情報を記憶した制御情報記憶手段とを備え、
前記放送波生成手段は、前記コンテンツ情報をマルチ編成放送時のSDTVの帯域にのせると共に、前記制御情報をデータ放送の帯域にのせることを特徴としたデジタルサイネージ向け放送システム。
【請求項２２】
請求項２０記載の放送システムにおいて、
前記情報のうち前記デジタルサイネージから出力させるコンテンツ情報を記憶したコンテンツ情報記憶手段と、前記情報のうち前記デジタルサイネージを制御する制御情報を記憶した制御情報記憶手段とを備え、
前記放送波生成手段は、前記コンテンツ情報と、前記制御情報との両方をデータ放送の帯域にのせることを特徴としたデジタルサイネージ向け放送システム。
【請求項２３】
請求項２２記載の放送システムにおいて、
前記放送波生成手段は、前記コンテンツ情報をＢＭＬのモノメディアとして構成することを特徴としたデジタルサイネージ向け放送システム。
【請求項２４】
情報送信手段から受信した情報を再生するデジタルサイネージ装置であって、
前記デジタルサイネージが地上デジタル放送波を受信する手段を備え、前記情報送信手段が地上デジタル放送波にのせて放送した前記情報を受信することを特徴としたデジタルサイネージ装置。
【請求項２５】
請求項２４記載のデジタルサイネージ装置において、
前記情報送信手段が送信した地上デジタル放送波の帯域から再生用のコンテンツ情報と当該再生を制御する制御情報とを取得する情報取得手段と、この情報取得手段が取得したコンテンツ情報を再生する出力制御手段とを備え、
前記情報取得手段は、前記コンテンツ情報をマルチ編成放送時のSDTVの帯域から取得すると共に、前記制御情報をデータ放送の帯域から取得することを特徴としたデジタルサイネージ装置。
【請求項２６】
請求項２４記載のデジタルサイネージ装置において、
前記情報送信手段が送信した地上デジタル放送波の帯域から再生用のコンテンツ情報と当該再生を制御する制御情報とを取得する情報取得手段と、この情報取得手段が取得したコンテンツ情報を再生する出力制御手段とを備え、
前記情報取得手段は、前記コンテンツ情報と、前記制御情報との両方をデータ放送の帯域から取得することを特徴としたデジタルサイネージ装置。
【請求項２７】
請求項２５又は２６記載のデジタルサイネージ装置において、
前記コンテンツ情報を保持する記憶手段を備えたことを特徴とするデジタルサイネージ装置。
【請求項２８】
前記情報取得手段は、前記データ放送の帯域においてＢＭＬで記述されたモノメディアを前記コンテンツ情報として取得することを特徴とした請求項２６記載のデジタルサイネージ装置。
【請求項２９】
請求項２５記載のデジタルサイネージ装置において、
前記コンテンツ情報を記憶するコンテンツ情報記憶手段と、自装置が受信すべきコンテンツ情報の放送スケジュールを記憶する制御情報記憶手段とを備え、
前記情報取得手段は、この放送スケジュールに従って前記情報送信手段が送信するコンテンツ情報を選択して前記コンテンツ情報記憶手段に格納することを特徴としたデジタルサイネージ装置。
【請求項３０】
前記情報取得手段は、前記情報送信手段が前記制御情報に含めて送信した放送スケジュールを取得し前記制御情報記憶手段に格納することを特徴とした請求項２９記載のデジタルサイネージ装置。
【請求項３１】
請求項２５記載のデジタルサイネージ装置において、
前記コンテンツ情報を記憶するコンテンツ情報記憶手段と、自装置が再生すべきコンテンツ情報の再生スケジュールを記憶する制御情報記憶手段と、この再生スケジュールに従って前記コンテンツ情報記憶手段に格納されたコンテンツ情報を選択して再生する出力制御手段とを備えたことを特徴とするデジタルサイネージ装置。
【請求項３２】
前記情報取得手段は、前記情報送信手段が前記制御情報に含めて送信した再生スケジュールを取得し前記制御情報記憶手段に格納することを特徴とした請求項３１記載のデジタルサイネージ装置。
【請求項３３】
請求項２５又は２６記載のデジタルサイネージ装置において、
非接触ＩＣカードリーダを備えると共に、前記コンテンツ情報に関連する関連情報を当該コンテンツ情報に関連付けて記憶した制御情報記憶手段を備え、
前記出力制御手段は、前記非接触ＩＣカードリーダからアクセスがあると、そのとき再生しているコンテンツ情報に関連付けられた関連情報を前記制御情報記憶手段から読み出して前記非接触ＩＣカードリーダからアクセスした装置に提供することを特徴としたデジタルサイネージ装置。
【発明の詳細な説明】
【技術分野】
【０００１】
本発明は、情報送信手段から情報を取得して再生するデジタルサイネージシステムに関する。
【背景技術】
【０００２】
従来のデジタルサイネージは、ネットワーク経由で取得した情報を再生していた。このため、デジタルサイネージ端末ごとに、ネットワークに接続する通信環境が必要となり、通信コストが嵩むという不都合があった。
【非特許文献１】"世界初、地下鉄仙台駅で電子ペーパーサイネージの共同実証実験を開始"、［ｏｎｌｉｎｅ］、平成１９年１１月２８日、凸版印刷株式会社、［平成２０年７月１２日検索］、インターネット<ＵＲＬ：http://www.toppan.co.jp/news/newsrelease645.html>
【発明の開示】
【発明が解決しようとする課題】
【０００３】
本発明は、かかる従来例の有する不都合を改善し、特に、デジタルサイネージの運用にあたり、通信コストの低減を実現することを課題とする。
【課題を解決するための手段】
【０００４】
上記課題を解決するため、本発明では、地上デジタル放送を利用してデジタルサイネージに情報を与える。
【０００５】
即ち、デジタルサイネージと、このデジタルサイネージに情報を送信する情報送信手段とを備えたシステムにおいて、前記デジタルサイネージが地上デジタル放送波を受信する手段を備えると共に、前記情報送信手段が前記情報を地上デジタル放送波にのせて放送する。
【０００６】
本発明によれば、複数のデジタルサイネージ端末に対し、ネットワークを経由せずに、情報を送信することができるので、通信コストを低減することができる。
【０００７】
前記情報送信手段は、前記情報のうち前記デジタルサイネージから出力させるコンテンツ情報をマルチ編成放送時のSDTV（Standard Definition TeleVision）で放送すると共に、前記情報のうち前記デジタルサイネージを制御する制御情報をデータ放送の帯域で放送してもよい。
【０００８】
このようにすると、マルチ編成放送のSDTVで例えば２チャンネル分の通常放送を行ないつつ、残りの１チャンネルを使ってデジタルサイネージ向けのコンテンツ情報を送信することができる。
【０００９】
また、前記情報送信手段は、前記情報のうち前記デジタルサイネージから出力させるコンテンツ情報と、前記情報のうち前記デジタルサイネージを制御する制御情報との両方をデータ放送の帯域で放送してもよい。
【００１０】
このようにすると、例えば、マルチ編成放送時のSDTVの全チャンネルを通常放送に使っている場合や、HDTV（High Definition TeleVision）で通常放送を行なっている場合でも、データ放送帯域を利用してデジタルサイネージ向けの情報提供を行なうことができる。
【００１１】
前記デジタルサイネージは、前記コンテンツ情報を保持する記憶手段を備える。これにより、一度受信したコンテンツ情報を繰り返し再生することができ、放送波にのってくるコンテンツとデジタルサイネージで再生するコンテンツとを非同期にすることができ、同じ放送波からコンテンツを取得した複数のデジタルサイネージが、同時に異なるコンテンツを再生することが可能となる。
【００１２】
また、前記デジタルサイネージがＢＭＬブラウザを備え、前記コンテンツ情報はＢＭＬのモノメディアとして構成してもよい。これにより、データ放送帯域を利用してデジタルサイネージ向けにコンテンツ情報を提供することができる。
【００１３】
前記デジタルサイネージは、前記コンテンツ情報を記憶するコンテンツ情報記憶手段と、自装置が受信すべきコンテンツ情報の放送スケジュールを記憶する制御情報記憶手段とを備え、この放送スケジュールに従って前記情報送信手段が送信するコンテンツ情報を選択して前記コンテンツ情報記憶手段に格納してもよい。
【００１４】
このようにすると、受信する放送が同一であっても、複数のデジタルサイネージが、個々に再生するコンテンツを選択できるようになる。
【００１５】
前記放送スケジュールは前記情報送信手段が前記制御情報に含めて送信し、前記デジタルサイネージは、この制御情報に含まれた放送スケジュールを前記制御情報記憶手段に記憶するようにしてもよい。
【００１６】
このようにすると、複数のデジタルサイネージに対し放送スケジュールが自動的に設定されるので、各デジタルサイネージにおいて個別に放送スケジュールを設定する必要がない。
【００１７】
前記デジタルサイネージは、前記コンテンツ情報を記憶するコンテンツ情報記憶手段と、自装置が再生すべきコンテンツ情報の再生スケジュールを記憶する制御情報記憶手段を備え、この再生スケジュールに従って前記コンテンツ情報記憶手段に格納されたコンテンツ情報を選択して再生してもよい。
【００１８】
このようにすると、受信する放送が同一であっても、複数のデジタルサイネージが、個々に異なるタイミングでコンテンツを再生できるようになる。
【００１９】
前記再生スケジュールは前記情報送信手段が前記制御情報に含めて送信し、前記デジタルサイネージは、この制御情報に含まれた再生スケジュールを前記制御情報記憶手段に記憶してもよい。
【００２０】
このようにすると、複数のデジタルサイネージに対し再生スケジュールが自動的に設定されるので、各デジタルサイネージにおいて個別に再生スケジュールを設定する必要がない。
【００２１】
また、前記デジタルサイネージは、非接触ＩＣカードリーダを備え、前記情報送信手段は、コンテンツ情報に関連する関連情報を当該コンテンツ情報に関連付けて前記制御情報に含めて送信し、前記デジタルサイネージは、当該関連情報をコンテンツ情報に関連付けて制御情報記憶手段に格納し、前記非接触ＩＣカードリーダからアクセスがあると、そのとき再生しているコンテンツ情報に関連付けられた関連情報を当該非接触ＩＣカードリーダからアクセスした装置に提供してもよい。
【００２２】
これにより、ユーザに、デジタルサイネージを利用しようというインセンティブを与えることができる。
【発明の効果】
【００２３】
本発明によれば、デジタルサイネージシステムにおいて情報通信コストの低減を図ることができる。
【発明を実施するための最良の形態】
【００２４】
［第１実施形態］
【００２５】
以下、本発明の一実施形態を図面を参照しつつ説明する。図１において、情報送信手段（放送局）１０は、地上デジタル放送波を生成する放送システム１０Ａと、当該地上デジタル放送波の放送所とを備えている。この情報送信手段１０から送出された地上デジタル放送波は、複数のデジタルサイネージ装置２０において受信される。
【００２６】
図２は、放送システム１０Ａの構成を示している。放送システム１０Ａは、デジタルサイネージ２０において再生するコンテンツ情報を記憶したコンテンツ情報記憶手段１１と、主にデジタルサイネージ２０を制御する制御情報を記憶した制御情報記憶手段１２とを備えている。制御情報記憶手段１２には、コンテンツ情報の放送スケジュールも記憶されている。各記憶手段１１，１２は、例えばＨＤＤ（Hard Disk Drive）である。放送波生成手段１３は、制御情報記憶手段１２に格納された放送スケジュールに従ってコンテンツ情報記憶手段１１からコンテンツ情報を読み出し、また、制御情報記憶手段１２から制御情報を読み出し、これらの情報に対し符号化と多重化を施して地上デジタル放送波を生成し出力する。この地上デジタル放送波は、複数のデジタルサイネージ２０において受信される。
【００２７】
本実施形態において、放送局１０は、マルチ編成放送時のSDTVで放送を行なっているものとし、放送波生成手段１３は、図３に示すように、２チャンネル分で通常放送を行なうと共に、通常放送を行なっていない残り１チャンネル分でデジタルサイネージ向けのコンテンツ情報を放送する。また、制御情報は、データ放送帯域で放送する。制御情報は、BML（Broadcast Markup Language）で記述される。
【００２８】
図４は、制御情報記憶手段１２に格納された送出コンテンツ表である。送出コンテンツ表は、放送スケジュールに沿って、放送するコンテンツ情報の識別子と、そのコンテンツ情報を受信すべきデジタルサイネージ２０の受信端末識別子と、そのコンテンツ情報を再生する再生スケジュールの指示と、そのコンテンツ情報の属性情報と、そのコンテンツ情報に対応して非接触ICカードに提供する情報（非接触IC提供情報）とが関連付けられている。放送スケジュールは、何時から何時のように時間で指定されている。日付の指定が含まれてもよい。再生スケジュールは、何時から何時のように時間で指定する場合や、何時から何回繰り返しのように再生の方法を指定する場合が考えられる。日付の指定や日付の範囲の指定が含まれてもよい。受信端末識別子は、一つの識別子が一つのデジタルサイネージ装置２０に対応していてもよいし、一つの識別子が複数のデジタルサイネージ装置２０のグループに対応していてもよい。また、コンテンツ識別子は、一つのコンテンツ情報に一つの識別子が与えられていてもよいし、複数のコンテンツ情報のグループに対して一つの識別子を与えてもよい。非接触IC提供情報は、ある業者を紹介するコンテンツ情報に対応してその業者のホームページのURL情報を提供する、あるイベントを紹介するコンテンツ情報に対応してそのイベント会場の地図情報が提供される、又は、ある商店を紹介するコンテンツ情報に対応してその商店で使えるクーポン情報が提供されるなど、コンテンツ情報ごとに対応する情報であればよい。属性情報は、対応するコンテンツ情報が動画であるか静止画であるか等のフォーマット情報と、そのコンテンツ情報の種別（MPG、WMV、JPGなどのファイルタイプ）とを含んでいる。
【００２９】
続いて、図５は、デジタルサイネージ２０の構成を示すブロック図である。情報送信手段１０が送出した地上デジタル放送波は、アンテナ信号として複数のデジタルサイネージ２０に受信される。アンテナはデジタルサイネージ２０に内蔵されていてもよいし、外部のアンテナからアンテナ信号を取得してもよい。情報取得手段２１は、受信したアンテナ信号に対し符号化と逆多重化を施し、アンテナ信号からコンテンツ情報と制御情報とを取得する。本実施形態において、情報取得手段２１は、マルチ編成放送時のSDTV放送の帯域からコンテンツ情報を取得し、データ放送の帯域から制御情報を取得する。情報取得手段２１は、取得したコンテンツ情報をコンテンツ情報記憶手段２２に格納し、取得した制御情報を制御情報記憶手段２３に格納する。コンテンツ情報記憶手段２２及び制御情報記憶手段２３は、例えばHDDである。コンテンツ情報と制御情報の記録は、MPEG2-TSデータをそのまま保存してもよいし、他のフォーマットに変換して保存してもよい。
【００３０】
更に詳細に説明すると、本実施形態において、情報送信手段１０は、コンテンツ情報の送出に先立って、制御情報として図４に示した送出コンテンツ表を送信する。デジタルサイネージ２０の情報取得手段２１は、この送出コンテンツ表を取得し、制御情報記憶手段２３に格納する。その後、情報取得手段２１は、送出コンテンツ表に記述された放送スケジュールを監視する。情報送信手段１０は、放送スケジュールに従ってコンテンツ情報を送出する。情報取得手段２７には、自装置のデジタルサイネージ２０を識別する端末識別子を記憶した端末識別子記憶手段２７が併設されており、この自装置の端末識別子と一致する端末識別子が付与された放送スケジュール（放送時間）が到来すると、情報取得手段２１は、その放送スケジュールの間に情報送信手段１０から送られている放送波からコンテンツ情報を選択的に取得し、コンテンツ情報記憶手段２２に格納する。この際、コンテンツ情報には、送出コンテンツ表に記述されたコンテンツ識別子と同一のコンテンツ識別子が付加される。ここで、端末識別子記憶手段２７に格納された自装置の端末識別子は、単一のデジタルサイネージ２０を他から識別するものでもよいし、幾つかのデジタルサイネージ２０のグループを識別するものでもよい。また、本実施形態では、送出コンテンツ表をすべて受信した上で、自装置の端末識別子に対応する放送スケジュールを監視しているが、受信した送出コンテンツ表から予め自装置の端末識別子と端末識別子が一致する放送スケジュールだけを抽出して制御情報記憶手段２３に格納し監視してもよい。
【００３１】
一方、デジタルサイネージ２０の出力制御手段２４は、制御情報記憶手段２３に格納された送出コンテンツ表に記述された再生スケジュールを監視する。この出力制御手段２４は、BMLブラウザを備えている。制御情報記憶手段２３に格納された制御情報は、BMLで記述されている。出力制御手段２４は、コンテンツ情報記憶手段２２に格納したコンテンツ情報の再生スケジュールが到来すると、そのコンテンツ情報をコンテンツ情報記憶手段２２から読み出して出力装置（表示手段２５や音声再生装置）から再生する。出力制御手段２４は、再生スケジュールに従って、同一のコンテンツ情報を繰り返し再生する。ここで、表示手段２５は、デジタルサイネージに一般的に採用されるタッチパネル付き表示装置等である。出力制御手段２４は、タッチパネル等の入力手段から入力を受けると、その入力に応じて表示手段２５や音声再生装置の出力を制御する。
【００３２】
また、出力制御手段２４には、非接触ICカードリーダ２６が併設されている。本実施形態において、非接触ICカードリーダは、FeliCa（登録商標）に対応しているものとする。出力制御手段２４は、コンテンツ情報の再生中に非接触ICカードリーダ２６へのアクセスを検知すると、そのとき再生しているコンテンツ情報の識別子に関連付けられた非接触IC提供情報を制御情報記憶手段２３に格納された送出コンテンツ表から読み出し、非接触ICカードリーダ２６にアクセスした装置（おサイフケータイ（登録商標）など）にその非接触IC提供情報を与える。非接触ICカードリーダ２６にアクセスした装置は、再生中のコンテンツ情報に関連するホームページのURLや、お店の地図や、お店で使えるクーポンやポイントなどのデータを取得する。
【００３３】
以上説明した本実施形態によれば、デジタルサイネージへの情報提供を地上デジタル放送波を用いて行うことによって、従来のネットワーク経由での情報提供に比べ通信コストの低減を図ることができる。
【００３４】
また、マルチ編成放送時のSDTVでコンテンツ情報を送出するので、放送局が通常放送を行ないながら、同時にデジタルサイネージ向けのサービスも提供することができる。
【００３５】
また、デジタルサイネージ２０が受信したコンテンツ情報を記憶手段に保持するので、デジタルサイネージが同じコンテンツを繰り返し再生する場合でも放送波は同じコンテンツを繰り返し送出する必要がなく、コンテンツの送出を効率的に行なうことができる。また、コンテンツを記憶手段に保持することによって、個々のデジタルサイネージごとに異なる再生スケジュールでコンテンツを再生することが可能となる。
【００３６】
また、複数のデジタルサイネージに対し同一の放送波が送出されていても、各デジタルサイネージが放送スケジュールに応じて必要なコンテンツだけを選択的に取得するので、各デジタルサイネージごとに再生するコンテンツを選択することができる。
【００３７】
また、放送スケジュールは情報送信手段から送出され、デジタルサイネージに設定されるので、デジタルサイネージ側で放送スケジュールを入力する作業は不要である。
【００３８】
また、各デジタルサイネージが個々の再生スケジュールに従ってコンテンツを再生するので、各デジタルサイネージごとに適切なタイミングでコンテンツの再生を行なうことができる。
【００３９】
その再生スケジュールは、情報送信手段から送出され、各デジタルサイネージに登録されるので、デジタルサイネージ側で再生スケジュールを入力する作業は不要である。
【００４０】
また、非接触ICカードリーダを通じて、再生中のコンテンツに連動した情報を利用者に与えるので、利用者にデジタルサイネージを利用しようとするインセンティブを与えることができる。
【００４１】
［第１実施形態の変形例］
【００４２】
第１実施形態では、情報送信手段からデジタルサイネージに、コンテンツ情報の送出に先立って図４の送出コンテンツ表（一覧）を渡しているが、他の実施形態も考えられる。
【００４３】
例えば、各デジタルサイネージごとに取得すべきコンテンツの放送スケジュール等をマニュアルで設定してもよい。デジタルサイネージの制御情報記憶手段に、送出スケジュール表に相当するデータが登録されていれば、上述した第１実施形態と同様の情報取得動作及び情報再生動作を実現することができる。
【００４４】
また、図４の送出コンテンツ表（一覧）のすべてを同時にデジタルサイネージに渡さなくとも、例えば、図４の送出コンテンツ表の１行目のデータを送出し、次に、その１行目のデータに対応するコンテンツ情報を送出し、次に、送出コンテンツ表の２行目のデータを送出し、次いで、その２行目のデータに対応するコンテンツ情報を送出する、というように、送出コンテンツ表のデータとコンテンツ情報とを交互に送出するようにしてもよい。このようにすると、デジタルサイネージは送出コンテンツ表の全体を記憶しておく必要が無いので、デジタルサイネージの記憶領域を節約することができる。
【００４５】
［第２実施形態］
【００４６】
次に、本発明の第２実施形態を説明する。図１の全体構成は、第１実施形態と同一のため説明を省略する。
【００４７】
図２は、放送システム１０Ａの構成図である。本実施形態において、放送波生成手段１３は、コンテンツ情報と制御情報との両方をデータ放送帯域にのせて送出する。図６は、コンテンツ情報と制御情報との両方をデータ放送帯域にのせた状態を図示している。データ放送のデータはBMLで記述する。このBMLの記述にコンテンツ情報をモノメディアとして埋め込み、データ放送帯域で送出する。コンテンツ情報は、分割して埋め込んでもよい。この場合、分割したコンテンツ情報をデジタルサイネージ２０側で結合するために、分割したコンテンツ情報の各BMLファイル間にリンクを設定する。又は、分割したコンテンツ情報の各BMLファイルに共通のコンテンツ情報識別子を付加しておく。また、コンテンツ情報と制御情報とを関連付けて送出するために、両者のBMLファイル間にリンクを設定する。又は、両者のBMLファイルに共通のコンテンツ情報識別子を付加しておく。
【００４８】
ここで、放送局が通常放送とデジタルサイネージ向けの情報提供との両方を同時に行なっている場合は、両者のデータ放送用のデータがデータ放送帯域に混在する。このような状態では、デジタルサイネージ２０がデジタルサイネージ２０向けに送出されたデータ放送のデータだけを抽出する手法が必要となる。この手法には幾つか考えられる。
【００４９】
一つは、BMLに独自の命令文（タグ）を挿入する手法である。BMLはXML（Extensible Markup Language）／XHTML（Extensible HyperText Markup Language）の仕様により記述されるが、BMLに独自のタグが挿入されると、一般のBMLブラウザは、システムとして理解ができないタグを無視する特徴がある。そこで、デジタルサイネージ向けのデータには独自のタグを付加すると共に、デジタルサイネージ２０が搭載するBMLブラウザ側では、当該独自のタグを識別してデジタルサイネージ向けのデータであることを判定できるように機能を追加する。このようにすると、放送局から送出されたデータ放送のデータが、本実施形態のデジタルサイネージ２０以外の機器に受信された場合でも、上記独自のタグが無視されることによって、動作に影響を与える事態を回避でき、一方、本実施形態のデジタルサイネージ２０が上記の独自タグを受信した場合には、機能を追加されたBMLブラウザが、当該独自タグに基づいてデジタルサイネージ２０向けのデータであることを識別してデータを取得することができる。
【００５０】
同様に、独自タグを挿入する代わりに、タグに属性を付加しタグを拡張することによって、デジタルサイネージ２０向けのデータであることを識別させることができる。タグに独自の属性名を付加すると、一般のBMLブラウザは、それを理解できない命令として無視する特徴がある。そこで、デジタルサイネージ２０向けのデータには独自の属性名を含むタグを付加すると共に、デジタルサイネージ２０が搭載するBMLブラウザ側では、当該独自の属性名を識別してデジタルサイネージ向けのデータであることを判定できるように機能を追加する。このようにしても、上記と同様の効果を得ることができる。
【００５１】
更に他の手法としては、BML内でECMAScriptの「残り容量を取得する関数」を利用する手法が考えられる。この関数の隠し機能として、受信機メーカー、受信機の製造日、BMLブラウザのバージョン、ECMAScriptエンジンのバージョンを示すマジックナンバーを取得できることが知られている。この関数を利用し、受信機がデジタルサイネージ２０であるか否かを判定することができ、その判定結果に応じてBMLの処理を分岐させることにより、デジタルサイネージ２０にはデジタルサイネージ向けのデータを取得させ、その他の機器には各機器用のデータを取得させることが可能となる。このようにしても、上記と同様の効果を得ることができる。
【００５２】
次に図４は、第１実施形態で紹介した送出コンテンツ表であるが、本第２実施形態では、制御情報とコンテンツ情報との両方をデータ放送帯域で送信するので、この送出コンテンツ表の１行分のデータと、対応するコンテンツ情報とを関連付けておくことによって、この送出コンテンツ表は無くてもよい。以降の制御情報には、この送出コンテンツ表の１行分のデータを含むものとする。ただし、放送スケジュールのデータは無くてもよい。
【００５３】
図５は、デジタルサイネージ２０の構成図である。本実施形態において、情報取得手段２１は、コンテンツ情報と制御情報との両方をデータ放送のデータから取得し、それぞれコンテンツ情報記憶手段２２と、制御情報記憶手段２３とに格納する。コンテンツ情報と制御情報は、前述したファイル間のリンク又はファイル間で共通のコンテンツ情報識別子の付加により、関連付けた状態で格納する。
【００５４】
情報取得手段２１は、上記制御情報とコンテンツ情報とを取得するに際し、前述したBMLのタグ又は関数を判定することによって、デジタルサイネージ向けのデータだけを選択して取得する。
【００５５】
また、情報取得手段２１は、上記取得の際に、制御情報に含まれる受信端末識別子を判定し、自装置の端末識別子と端末識別子が一致する制御情報及びコンテンツ情報だけを選択して取得する。
【００５６】
出力制御手段２４は、制御情報記憶手段２３に格納された制御情報に含まれるコンテンツ情報の再生スケジュールを監視する。あるコンテンツ情報について再生スケジュールが到来すると、出力制御手段２４は、その再生スケジュールに関連付けられたコンテンツ情報をコンテンツ情報記憶手段２２から読み出し、当該再生スケジュールに従って出力装置（表示手段２５や音声出力装置など）に再生する。その他、出力制御手段２４、表示手段２５及び非接触ICカードリーダの動作は、第１実施形態と同一である。
【００５７】
以上説明した第２実施形態によると、第１実施形態と同様の効果を奏するほか、コンテンツ情報と制御情報の両方をデータ放送帯域にて送出するので、放送局がHDTVの放送を行っている場合や、マルチ編成放送時のSDTVにて全チャンネルを通常放送に使っている場合でも、デジタルサイネージ向けの情報送出を行なうことができる。
【００５８】
以上説明した各実施形態は例示であり、本願発明が上記各実施形態に限定されるものではない。
【図面の簡単な説明】
【００５９】
【図１】本発明のデジタルサイネージシステムを示す構成図である。
【図２】図１に示す放送システムの構成図である。
【図３】図２に示す放送システムが第１実施形態で送出する放送波の構成図である。
【図４】図２に示す放送システムが送出する送出コンテンツ表の構成図である。
【図５】図１に示すデジタルサイネージの構成図である。
【図６】図２に示す放送システムが第２実施形態で送出するデータ放送のデータ構造図である。
【符号の説明】
【００６０】
１０  情報送信手段（放送局）
１０Ａ  放送システム
１１  制御情報記憶手段
１２  コンテンツ情報記憶手段
１３  放送波生成手段
２０  デジタルサイネージ
２１  情報取得手段
２２  コンテンツ情報記憶手段
２３  制御情報記憶手段
２４  出力制御手段
２５  表示手段
２６  非接触ＩＣカードリーダ
【図１】
2010021900.tif 000003
【図２】
2010021900.tif 000004
【図３】
2010021900.tif 000005
【図４】
2010021900.tif 000006
【図５】
2010021900.tif 000007
【図６】
2010021900.tif 000008